(57)【要約】【課題】光学ファインダー時の測距点表示と、背面液晶表示時の測距点表示とで、その位置に差があると、ユーザが混乱するおそれがある。  【解決手段】光学ファインダー時の測距点表示位置と、背面液晶表示時の測距点表示位置とが異なる場合があるため、光学ファインダー画面中に、背面液晶表示位置で測距を行っていることを示す指標を表示する。【選択図】図２
2017156377.tif 000002
【特許請求の範囲】
【請求項１】
光学ファインダー(320)視野領域内の複数の位置に測距表示点(500)が配置され、
焦点調節の対象として選択された測距表示点を表示する表示手段(107)を有し、
撮像面上で設定された測距位置に最も近接する測距表示点および近接の測距表示点であることを示す指標(501)を、光学ファインダー内で表示し、
選択された測距位置に対応した撮像面上での測距位置において、
撮像面位相差AFを行うことを特徴とする撮像装置。
【請求項２】
光学ファインダーと背面液晶との一方または両方で、撮影画像の観察が可能で、
光学ファインダーでの観察時に撮像面位相差AFが可能な請求項１に記載の撮像装置。
【請求項３】
顔検出時は、撮像面上での本来の顔位置の測距点でAFを行い、
光学ファインダー内では、近傍の測距点を表示する請求項１に記載の撮像装置。
【請求項４】
追尾時は、撮像面上での本来の追尾位置の測距点でAFを行い、
光学ファインダー内では、近傍の測距点を表示する請求項１に記載の撮像装置。
【請求項５】
近傍の測距点を特定出来ない場合には、その近接度合に応じて警告表示(S203)を行う、請求項１に記載の撮像装置。
【請求項６】
撮像面上で設定された測距位置と、光学ファインダー内での、選択された測距表示点との場所が、不一致の場合のみ、指標を光学ファインダー内で表示することを特徴とする請求項１に記載の撮像装置。
【発明の詳細な説明】
【技術分野】
【０００１】
本発明は、被写体を撮像する撮像装置であって、特に、光学ファインダーを有し、顔検出や被写体追尾を行うことが可能な撮像装置に関する。
【背景技術】
【０００２】
従来、ミラー透過光で撮像面AFを行う装置が提案されていた（特許文献１参照）。特許文献１によれば、ミラー透過光で撮像面AFを行うものであるが、ファインダーと撮像面とで、測距点の表示が異なった場合に関しては、特に述べられていない。
【先行技術文献】
【特許文献】
【０００３】
【特許文献１】特開2010-16762号公報
【発明の概要】
【発明が解決しようとする課題】
【０００４】
光学ファインダーでの表示と背面液晶表示とを有し、光学ファインダー時に撮像面位相差AFが可能な撮像装置を想定した場合、光学ファインダー時の測距点表示は、背面液晶表示に比べて、表示箇所に制限があり、光学ファインダー時の測距点表示と、背面液晶時の測距点表示とで、その位置に差があると、ユーザーが混乱するおそれがある。
【０００５】
本発明は、上記問題点を鑑みてなされたものであり、光学ファインダー時の測距点表示位置と背面液晶時の測距点表示位置とが異なる場合があるため、その際は、光学ファインダー画面中に、背面液晶表示位置で測距を行っていることを示す指標を表示する撮像装置
を提供することを目的とする。
【課題を解決するための手段】
【０００６】
上記の目的を達成するために、本発明に係る撮像装置は、
光学ファインダー視野領域内の複数の位置に測距表示点が配置され、
焦点調節の対象として選択された測距表示点を表示する表示手段を有し、
撮像面上で設定された測距位置に最も近接する測距表示点および近接の測距表示点であることを示す指標を、光学ファインダー内で表示し、
選択された測距位置に対応した撮像面上での測距位置において、
撮像面位相差AFを行うことを特徴とする。
【発明の効果】
【０００７】
本発明に係る撮像装置によれば、本来の測距点位置(背面液晶表示時の測距点）と、光学ファインダー内での測距点表示位置とで差異がある場合があるため、そのことを明確にする効果がある。
【図面の簡単な説明】
【０００８】
【図１】本発明のカメラシステム構成図である。
【図２】本発明の第一の実施の形態に係る撮像装置の全体構成の一例を示すブロック図である。
【図３】本発明の実施例の形態に係る測距枠表示の一例を示す模式図である。
【図４】本発明の実施例の形態に係る測距枠表示の一例を示す模式図である。
【図５】本発明の実施例の形態に係る測距枠表示の一例を示す模式図である。
【図６】本発明の実施例の形態に係る撮像装置のフローチャートである。
【図７】本発明の他の実施例の形態に係る撮像装置のフローチャートである。
【図８】本発明の他の実施例の形態に係る撮像装置のフローチャートである。
【発明を実施するための形態】
【０００９】
以下、本発明の実施の形態を、図面を用いて詳述する。
【００１０】
［実施例］
図１は本発明の実施例にかかわるカメラシステムの構成を示す図である。
【００１１】
１００はカメラ本体を、２００はレンズを示している。まず、カメラ本体１００とレンズ２００内の構成について説明する。１０１はカメラ１００の各部を制御するマイクロコンピュータＣＰＵ（以下、カメラマイコン）である。
【００１２】
１０２はカメラマイコン１０１に接続されているRAMやROM等のメモリである。１０３は赤外カットフィルタやローパスフィルタ等を含むＣＣＤ，ＣＭＯＳ等の撮像素子であり、レンズ２００によって撮影時に被写体の像が結像される。１０４はシャッターで非撮影時には撮像素子１０３を遮光し、撮影時には開いて撮像素子１０３へ光線を導く。１０５はハーフミラーで非撮影時にレンズ２００より入射する光の一部を反射し１０６のピント板に結像させる。
【００１３】
１０７はＰＮ液晶等のＡＦ測距枠を表示するための表示素子であり、光学ファインダーを覗いたときにどの位置でＡＦしているか等をユーザーに示す。１０９はペンタプリズムで、ピント板１０６の被写体像を測光センサ１０８及び光学ファインダーに導く。測光センサはペンタプリズムを介してピント板１０６に結像された被写体像を斜めの位置から見込んでいる。
【００１４】
１１２は画像処理・演算用のCPU（図ではICPUと記載）で、ここで顔検出の演算や追尾の演算、測光演算、フリッカー検出演算などを行う。１１３はICPU１１２に接続されているRAMやROM等のメモリである。２０１はレンズ内のCPU（図ではLPUと記載）で、被写体との距離情報等をカメラマイコンに送る。以上が、本発明の実施例にかかわるカメラシステム構成図である。
【００１５】
図２は本発明の第一の実施の形態に係る撮像装置の全体構成の一例を示すブロック図である。尚、図１における構成要素と同一のことを示しているものにおいても、図２においては、別番号として記載している。
【００１６】
図２において、レンズ４００は、被写体を結像するレンズ３０１と、レンズの焦点位置を制御するレンズ制御部３０２と、入射光量を調節する絞り３０３とを備える。撮像装置３００は、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）から成る撮像素子３０４を備える。
【００１７】
撮像素子３０４は、ＲＧＢ各カラーフィルターが受光面上に設けられ撮像用の像信号の取得に用いられる画素から成る撮像画素群３０５を備える。さらに、撮像装置３００は、焦点検出画素群３０６における互いに光学構成が光軸対称に構成された２種類の位相差センサの各画素列の像ずれ量から焦点を検出する焦点検出部３０８を備える。さらに、撮像装置３００は、撮像画素群３０５のうち焦点検出画素群３０６の近傍に位置する複数の画素から成る像信号の高周波成分の強度を検出する空間周波数検出部３０９を備える。
【００１８】
さらに、撮像装置３００は、焦点検出画素群３０６を用いて焦点検出結果に基づいて画素補間部３１２で補間処理を行うか、空間周波数検出部３０９を用いて高周波成分の強度に基づいて画素補間部３１２で補間処理を行うか、いずれかを選択する判定切替部３１０を備える。
【００１９】
さらに、撮像装置３００は、判定切替部３１０の判定に基づいて、焦点検出画素群３０６の位相差センサの位置に相当する画像データを、撮像素子３０４から得られた撮像画素群３０５の像信号に基づいて補間演算で生成する画素補間部３１２を備える。さらに撮像装置３００は、画像処理部３１３を備える。
【００２０】
さらに、撮像装置３００は、画像処理部３１３から出力された画像データを表示する表示部３１４と、記録する記録部３１５を備える。さらに、撮像装置３００は、操作者の操作入力を受け付ける操作部３１６と、撮像装置３００全体を制御するカメラ制御部３１７とを備える。３１８のミラーは、光線をペンタ部３１９と、撮像素子３０４とに導くため、ハーフミラーとなっている。ペンタ部を通った光は、ファインダー部３２０へと導かれる。３２１は顔検出部、３２２は追尾演算部、３２３は測光処理部、３２４はフリッカー検出部であり、これらは、撮像素子304の出力を用いて行うものである。
【００２１】
追尾の演算は、追尾演算部322にて、撮像素子304からの画像データを用いてランダムに配置された粒子フィルターを用いて行う。本来は、画面上の全座標に関して追尾用の演算を行なえればよいのであるが、全座標で演算を行っていては、演算量が膨大となり、処理速度上、本来の撮影を行うことが出来ない。そのため、所定個数の粒子フィルターを、乱数を用いてランダムに配置し、配置を行った画素に関して演算を行うことで、処理速度と処理精度の両立を図り、効率的に追尾演算を行うものである。
【００２２】
粒子フィルターを用いた追尾演算とは、配置を行った箇所に関して、追尾演算に用いるための情報として類似度の演算を行い、状態推定を行っていくもので、この演算に関しては、公知の方法で演算を行えばよい。
【００２３】
顔検出は、顔検出部321にて、撮像素子304からの画像データの所定のフレームから人物顔パターンとの一致度により、検出を行うものである。測光の処理、フリッカー検出も、同様に、撮像素子304からの画像データを用いて、測光処理部323および、フリッカー検出部324にて、その処理を行うものであるが、本発明の内容と直接は関係しないため、その説明を省略する。
【００２４】
図３から図５は、上記のように、追尾演算部322と、顔検出部321の出力を元に、撮像面上で決定された測距位置と、背面液晶上およびファインダー内での測距位置の表示とを模式的に示したものである。背面液晶は、314の表示部、ファインダー表示は、107の表示素子、撮像面は、103の撮像素子にそれぞれ相当する。指標501は、撮像面で決定した測距位置で測距することを示す指標である。
【００２５】
図３は指標501がない場合であり、撮像面上で決定された測距位置は、背面液晶上では、対応する位置に表示がなされる。一方、ファインダー内では、対応する位置に、ちょうど表示部500の枠があるとは限らないので、最も隣接する表示枠の表示を行うようにしている。この場合には、光学ファインダー内の測距点表示と、背面液晶時の測距点表示とで、その位置に差がある場合があり、ユーザーが混乱するおそれがある。
【００２６】
図４は指標501がある場合であり、図３の場合と同様に、撮像面上で決定された測距位置は、背面液晶上では、対応する位置に表示がなされる。一方、ファインダー内では、対応する位置に、ちょうど表示部500の枠があるとは限らないので、最も隣接する表示枠の表示を行うようにしている。さらに、近傍の測距位置の表示枠を表示していて、実際には、撮像面上で決定した測距位置で測距することを示す指標501を表示している。また、所定範囲内に近接の測距点がなく、表示すべき測距点を特定出来ない場合には、指標501を点滅させ、警告を行う。
【００２７】
図５は複数人の顔検出を行った場合であり、図４の場合に加えて、さらに、顔を複数検出し、それを選択することが可能であることを示す指標502が追加されている。
【００２８】
次に、図６のフローチャートの動作について説明する。
【００２９】
ステップS101で、追尾及び顔検出を行って撮像面上での測距位置を決定する。
【００３０】
ステップS102で、測距位置のチェックを行う。これは、ＡＦ枠の座標情報と、測距位置の座標との比較で行う。もし、所定距離内に測距表示枠がない場合には、ステップS103で、指標501の点滅を行う。一方、所定距離内に測距表示枠がある場合には、ステップS104で、最も隣接している測距表示点の点灯を行い、さらに、ステップS105にて、指標501の点灯を行う。
【００３１】
ステップS106では、決定された測距位置に従って、測距処理を行う。
【００３２】
図７は図６のフローチャートの変形例（第二の実施例）に関するものである。
【００３３】
ステップS201で、追尾及び顔検出を行って撮像面上での測距位置を決定する。
【００３４】
ステップS202で、測距位置のチェックを行う。これは、ＡＦ枠の座標情報と、測距位置の座標との比較で行う。もし、所定距離内に測距表示枠がない場合には、ステップS203で、指標501の点滅を行う。一方、所定距離内に測距表示枠がある場合には、ステップS204で、撮像面上での測距位置と、最近接の測距表示点の場所とが一致しているかの判断を行う。一致していない、すなわち、撮像面上の測距位置が、最近接の測距表示点の枠の外に相当する場合には、ステップS205で、最も隣接している測距表示点の点灯を行い、さらに、ステップS206にて、指標501の点灯を行う。また、一致している、すなわち、撮像面上の測距位置が、最近接の測距表示点の枠内にある場合には、ステップS207で、最も隣接している測距表示点の点灯を行い、さらに、ステップS208では、指標501を消灯させる。ステップS209では、決定された測距位置に従って、測距処理を行う。
【００３５】
図８も図６のフローチャートの変形例（第三の実施例）に関するものである。
【００３６】
ステップS301で、追尾及び顔検出を行って撮像面上での測距位置を決定する。
【００３７】
ステップS302で、測距位置のチェックを行う。これは、ＡＦ枠の座標情報と、測距位置の座標との比較で行う。もし、所定距離内に測距表示枠がない場合には、ステップS303で、顔検出指標501の点滅を行う。また、ステップS304で、複数顔指標502を消灯させる。一方、所定距離内に測距表示枠がある場合には、ステップS305で、複数顔の検出を行ったか否かの判定を行う。もし、複数顔の検出を行っていた場合には、ステップS306で、最も隣接している測距表示点の点灯を行い、さらに、ステップS307にて、顔検出指標501の点灯を行う。さらに、ステップS308で、複数顔指標502を点灯させる。また、複数顔検出を行っていない場合には、ステップS309で、最も隣接している測距表示点の点灯を行い、さらに、ステップS310では、顔検出指標501を消灯させる。さらに、ステップS311で、複数顔指標502を消灯させる。
【００３８】
ステップS312では、決定された測距位置に従って、測距処理を行う。なお、複数顔指標502が点灯している場合には、不図示の左右キー等を用いて、複数顔の中からその一つの顔を選択することにより、主被写体としての測距位置の選択を、ユーザーが行なうことが可能となる。なお、本発明の実施例においては、撮像素子304中一部画素が焦点検出用画素である例を説明しているが、これに限らず、すべての画素が焦点検出用画素と兼ねる構成の撮像素子であっても、同様に適用出来る。
【００３９】
以上説明したように、第一の実施例においては、光学ファインダー時の測距点表示位置と、背面液晶表示時の測距点表示位置とが異なる場合があるため、光学ファインダー画面中に、背面液晶表示位置で測距を行っていることを示す指標を表示することにより、撮像面で決定した測距位置で測距していることが明確にわかり、ユーザーの混乱を未然に防止する効果がある。
【００４０】
第二の実施例においては、さらに、光学ファインダー時の測距点表示位置と、背面液晶表示時の測距点表示位置とが異なる場合のみ、指標を表示ようにしたので、表示場所が異なっているか否かを、より明確に知ることが出来る効果がある。
【００４１】
第三の実施例においては、さらに、複数の顔を認識した場合にも、複数顔検出したことを示す指標の表示を行うようにしたので、ファインダー時の測距点表示位置と背面液晶表示時の測距点表示位置とが異っている場合でも、複数の顔の中から選択を行うことが出来ることを視覚的に認識出来る効果がある。
【００４２】
いずれの場合においても、顔検出AFや顔を追尾してのAFの快適な操作を行うための操作性向上に効果がある。
【符号の説明】
【００４３】
３００  撮像装置、３０４  撮像素子、３０５  撮像画素群、３２０  ファインダー部
【図１】
2017156377.tif 000003
【図２】
2017156377.tif 000004
【図３】
2017156377.tif 000005
【図４】
2017156377.tif 000006
【図５】
2017156377.tif 000007
【図６】
2017156377.tif 000008
【図７】
2017156377.tif 000009
【図８】
2017156377.tif 000010